(57)【要約】【課題】自立安定性の高い薄型直方体カートンを提供する。【解決手段】薄型直方体カートン１Ｂは，長方形の正面パネル12の短辺下縁に長方形の外側底面パネル31の長辺が，上記正面パネル12の長辺両側縁に正面パネル12よりも幅狭の長方形の左右の側面パネル11，13の長辺が，左側面パネル13の側縁に長方形の背面パネル14の長辺が，背面パネル14の短辺下縁に外側底面パネル31の内面に接着される長方形の内側底面パネル32の長辺が，それぞれ連設されている型紙から作られる。正面パネル12の下縁に外側底面パネル31に入り込む切込みＫ１が形成されており，外側底面パネル31を内向きに折り曲げることで正面パネル12の下縁から下方に突出する前脚部60によって正面がわが，外側底面パネル31の先端がわ面部によって背面がわが，それぞれ支持される。【選択図】図３
2019099167.tif 000002
【特許請求の範囲】
【請求項１】
長方形の正面パネルの短辺下縁に長方形の外側底面パネルの長辺が，上記正面パネルの長辺両側縁に上記正面パネルより幅狭の長方形の左右の側面パネルの長辺が，上記左右の側面パネルのいずれかの側縁に長方形の背面パネルの長辺が，上記背面パネルの短辺下縁に上記外側底面パネルの内面に接着される長方形の内側底面パネルの長辺が，それぞれ連設されているパネル構成を有する型紙からつくられる，自立性薄型直方体カートンであって，
上記正面パネルの下縁に，上記外側底面パネルに入り込む第１の切込みによって第１の前脚部が形成されており，
上記正面パネルに対して上記外側底面パネルを内向きに折り曲げることで上記正面パネルの下縁から下方に突出する第１の前脚部によって正面がわが，上記外側底面パネルの先端がわ面部によって背面がわが，それぞれ支持される，
自立性薄型直方体カートン。
【請求項２】
上記第１の前脚部が上記正面パネルの下縁の左右両端部に形成されており，
上記左右の側面パネルの下縁に，内向きに折り曲げられるフラップが連続している，
請求項１に記載の自立性薄型直方体カートン。
【請求項３】
上記左右の側面パネルの下縁の正面がわ端部に，上記正面パネルの下縁の左右両端部に形成された第１の切込みに連続して上記フラップに入り込む第２の切込みによって第２の前脚部が形成されており，
上記第１の前脚部と，上記左右の側面パネルに対して上記フラップを内向きに折り曲げることで左右の側面パネルの下縁の正面がわ端部から下方に突出する第２の前脚部とによって，正面がわが支持される，
請求項２に記載の自立性薄型直方体カートン。
【請求項４】
上記第１の切込みによって形成される第１の前脚部と第２の切込みによって形成される第２の前脚部が逆台形状である，
請求項３に記載の自立性薄型直方体カートン。
【請求項５】
上記正面パネルと上記外側底面パネルの境界の折り線の左右両端部に，左右の側面パネルに向かって斜めに上る傾斜折り線が形成されており，
上記傾斜折り線の端部に上記第１の切込みの端部がつながっている，
請求項４に記載の自立性薄型直方体カートン。
【請求項６】
上記左右の側面パネルの下縁が背面から正面に向かって斜めに上る傾斜を有している，
請求項１から５のいずれか一項に記載の自立性薄型直方体カートン。
【発明の詳細な説明】
【技術分野】
【０００１】
この発明は自立性の高い，すなわち安定して自立させることができる薄型直方体カートンに関する。
【背景技術】
【０００２】
長方形の底面を備える薄型直方体カートンの底面は，側方から見て外方（下方）に向かって弧状に反りがちである。底面が外方に反ると薄型直方体カートンは正面がわまたは背面がわに当然に倒れやすくなる。
【０００３】
特許文献１，２は薄型直方体カートンを倒れにくくするために，正面ないし背面の下縁に切欠きを設けて，底面部の正面がわおよび背面がわのそれぞれに下方に突出する脚部を形成するものを開示する。脚部を形成することでカートンは安定することになるが，脚部を形成する切欠きによって底面には穴があく。また，脚部に高い強度を持たせるのは難しいので脚部の数は極力少なくするのが好ましい。
【先行技術文献】
【特許文献】
【０００４】
【特許文献１】特開２００６−１６３１号公報
【特許文献２】特開２００１−２１９９２９号公報
【発明の開示】
【０００５】
この発明は，薄型直方体カートンの底面パネルが外方に反ったとしても自立安定性が損なわれない薄型直方体カートンを提供することを目的とする。
【０００６】
この発明はまた，底面に穴のないまたは穴が小さい薄型直方体カートンを提供することを目的とする。
【０００７】
この発明はさらに，強度の高い脚部を備える薄型直方体カートンを提供することを目的とする。
【０００８】
この発明による自立性薄型直方体カートンは，長方形の正面パネルの短辺下縁に長方形の外側底面パネルの長辺が，上記正面パネルの長辺両側縁に上記正面パネルより幅狭の長方形の左右の側面パネルの長辺が，上記左右の側面パネルのいずれかの側縁に長方形の背面パネルの長辺が，上記背面パネルの短辺下縁に上記外側底面パネルの内面に接着される長方形の内側底面パネルの長辺が，それぞれ連設されているパネル構成を有する型紙からつくられるものであって，上記正面パネルの下縁に，上記外側底面パネルに入り込む第１の切込みによって第１の前脚部が形成されており，上記正面パネルに対して上記外側底面パネルを内向きに折り曲げることで上記正面パネルの下縁から下方に突出する第１の前脚部によって正面がわが，上記外側底面パネルの先端がわ面部によって背面がわが，それぞれ支持されることを特徴とする。外側底面パネルの先端がわ面部は，外側底面パネルの先端縁部（外側底面パネルが連設されている正面パネルの短辺下縁と反対がわの縁部）を含み，先端縁部によって背面がわが支持される態様，および先端縁部を含んで拡がる面領域によって背面がわが支持される態様を含む。
【０００９】
型紙を折ることで立体的につくられるカートンは，紙が持つ弾性（反発力）によって，折られる前の状態に戻ろうとする力がパネルに働く。接地面に接地する外側底面パネルは内向きに折られるので，カートンにされた後，外向き（下向き）の反りが外側底面パネルには生じがちである。外側底面パネルを外向きに反らせる力は外側底面パネルと正面パネルの境界に働き，外側底面パネルの先端がわ（正面パネルの下縁（外側底面パネルと正面パネルの境界）から離れた箇所）には外側底面パネルを外向きに反らせる力は伝わりにくい。この発明によると，外向きに反りがちなカートンの正面がわにおいて下方に突出する第１の前脚部が形成され，正面がわが第１の前脚部によって支持される。他方，背面がわは外側底面パネルの先端がわ面部によって支持される。外側底面パネルと正面パネルの境界に近い範囲において外側底面パネルが外向きに反っても，反り出しは第１の前脚部と接地面との間の隙間に入る。正面がわは第１の前脚部によって支持され，背面がわは反り出しがないまたはほとんどない外側底面パネルの先端がわ面部によって広く支持される，自立安定性の高いカートンが提供される。
【００１０】
一実施態様では，上記第１の前脚部が上記正面パネルの下縁の左右両端部に形成されており，上記左右の側面パネルの下縁に，内向きに折り曲げられるフラップが連続している。正面がわは左右両端部の一対の第１の前脚部によって支持される。この左右両端部の第１の前脚部によって外側底面パネルにわずかにあく穴を，左右の側面パネルの下縁につながるフラップによって閉じる（塞ぐ）ことができる。底面に穴のない薄型直方体カートンを提供することができる。
【００１１】
好ましくは，上記左右の側面パネルの下縁の正面がわ端部に，上記正面パネルの下縁の左右端部に形成された第１の切込みに連続して上記フラップに入り込む第２の切込みによって第２の前脚部が形成されており，上記第１の前脚部と，上記左右の側面パネルに対して上記フラップを内向きに折り曲げることで左右の側面パネルの下縁の正面がわ端部から下方に突出する第２の前脚部とによって，正面がわが支持される。正面パネルの下縁の左右端部の第１の前脚部と，左右の側面パネルの下縁の正面がわ端部の第２の前脚部の両方によって，自立性薄型直方体カートンの正面がわをさらに安定的に支持することができる。
【００１２】
好ましくは，上記第１の切込みによって形成される第１の前脚部と第２の切込みによって形成される第２の前脚部が逆台形状（上底よりも下底が短い台形）である。第１，第２の脚部の強度を高くすることができる。
【００１３】
好ましくは，上記正面パネルと上記外側底面パネルの境界の折り線の左右両端部に，左右の側面パネルに向かって斜めに上る傾斜折り線が形成されており，上記傾斜折り線の端部に上記第１の切込みの端部がつながっている。外側底面パネルを内向きに折るときに，それと一緒になって第１の前脚部が内向きに折られにくくなり，第１の前脚部を良好に立ち上がらせる（下方に突出させる）ことができる。また，正面パネルに対して外側底面パネルを内向きに折ったときに傾斜折り線に近い範囲の外側底面パネルが内向きに軽く湾曲する。これによって外側底面パネルの外方への反りを軽減することもできる。
【００１４】
一実施態様では，上記左右の側面パネルの下縁が背面から正面に向かって斜めに上る傾斜を有している。外側底面パネルが外方に反り出したときの反り出し方向がより正面方向になるので，上記第１の前脚部によって形成される外側底面パネルと接地面との隙間に，外側底面パネルの反り出しが収められやすくなり，反り出した外側底面パネルが接地されにくくすることができる。
【図面の簡単な説明】
【００１５】
【図１】薄型直方体カートンの型紙である。
【図２】薄型直方体カートンの正面図である。
【図３】図２のIII−III線に沿う拡大断面図である。
【図４】薄型直方体カートンを底面がわから見た斜視図である。
【図５】変形例の薄型直方体カートンの型紙である。
【図６】変形例の薄型直方体カートンの，図３に相当する拡大断面図である。
【図７】他の変形例の薄型直方体カートンの型紙である。
【図８】他の変形例の薄型直方体カートンの，図３に相当する拡大断面図である。
【実施例】
【００１６】
図１は薄型直方体カートンの展開図を示している。図２は薄型直方体カートンの正面図である。図３は図２のIII−III線に沿う薄型直方体カートンの下部の拡大断面図を示している。図３においては分かりやすくするために紙厚が強調して示されている。図４は薄型直方体カートンを底面がわから見た斜視図である。
【００１７】
図１の展開図は，薄型直方体カートン１Ｂ（図２〜図４）を形成する厚紙の型紙１Ａを示しており，薄型直方体カートン１Ｂに組み立てたときの外側となる面を見たものである。一点鎖線は薄型直方体カートン１Ｂを組み立てるときに山折りにされる折り線を示している。折り曲げを容易にするために，この一点鎖線に沿って押し罫加工が施される。厚紙は，植物性繊維を材料とするもののみならず，合成繊維を材料の一部または全部とするものであってもよいし，表面（または両面）に合成樹脂膜をコーティングしたもの等，合成樹脂を含む厚紙シートであってもよい。
【００１８】
図１に示すように型取り（型抜き）された型紙１Ａを折り曲げかつ必要箇所を接着（糊付け）することによって図２〜図４に示す薄型直方体カートン１Ｂがつくられる。
【００１９】
図１を参照して，型紙１Ａには，右側面パネル11，正面パネル12，左側面パネル13，背面パネル14および糊代パネル15が横向きに連設されている。右側面パネル11，正面パネル12，左側面パネル13，背面パネル14および糊代パネル15は，いずれもその幅（横方向の長さ）に比べて高さ（縦方向の長さ）が高く，長方形の形状を持つ。
【００２０】
正面パネル12の上縁に外側天面パネル21が連設され，背面パネル14の上縁に内側天面パネル22が連設されている。正面パネル12の下縁に外側底面パネル31が連設され，背面パネル14の下縁に内側底面パネル32が連設されている。左右の側面パネル11，13の上下縁にはフラップ41が連設されている。
【００２１】
正面パネル12とその下縁に連設された外側底面パネル31の境界には，間隔をあけて形成されたハーフカットが一列に並ぶハーフカット線Ｍが形成されている。背面パネル14とその下縁に連設された内側底面パネル32の境界にもハーフカット線Ｍが形成されている。ハーフカット線Ｍは厚紙を折ったときの反発（折られる前の姿勢にパネルが戻ろうとする力）を軽減するために形成されている。ハーフカット線の間に折り線を設けてもよい。ハーフカットに代えてミシン目を形成してもよい。
【００２２】
正面パネル12とその下縁に連設された外側底面パネル31の境界のハーフカット線Ｍは，正面パネル12と外側底面パネル31の境界の左右端部を除く範囲に形成されており，ハーフカット線Ｍの左右端部のそれぞれには，左右の側面パネル11，13に向かってわずかに斜めに上る傾斜を持つ傾斜折り線51が形成され，さらに傾斜折り線51に連続して切込みＫ１，Ｋ２が形成されている。傾斜折り線51もハーフカットによって形成してもよく，傾斜折り線51上にカット線を形成してもよい。
【００２３】
切込みＫ１は，ハーフカット線Ｍの左端に一端がつながる傾斜折り線51の他端につながっており，そこから左側面パネル13に向かって斜めに下り，途中で方向を代えて横向き（水平）にのび，正面パネル12と左側面パネル13との境界に至っている。切込みＫ２は，ハーフカット線Ｍの右端に一端がつながる傾斜折り線51の他端につながっており，そこから右側面パネル11に向かって斜めに下り，途中で方向を代えて横向き（水平）にのび，正面パネル12と右側面パネル11との境界に至っている。
【００２４】
切込みＫ１，Ｋ２は左右の側面パネル11，13にも連続して形成されており，左右の側面パネル11，13に形成されている切込みＫ１，Ｋ２は，正面パネル12と左右の側面パネル11，13との境界から横向き（水平）にのび，途中で向きを代えて斜め上方にわずかにのびて形成され，切込みＫ１，Ｋ２の他端に左右の側面パネル11，13の下縁とフラップ41の境界の折り線がつながっている。切込みＫ１，Ｋ２は正面パネル12の下縁の左右端部を外側底面パネル31にわずかに入り込ませ，かつ左右の側面パネル11，13の下縁の正面がわ端部をフラップ41にわずかに入り込ませるもので，これによって後述するように，薄型直方体カートン１Ｂを安定的に自立させるための逆台形状の前脚部60が形成される。
【００２５】
薄型直方体カートン１Ｂは次のようにして組み立てられる。すなわち，左側面パネル13と背面パネル14の境界で型紙１Ａを折畳み，正面パネル12と右側面パネル11の境界も折畳む。重なり合う糊代パネル15と右側面パネル11とを接着して筒状とし，その後に隣接するパネル間の角度が直角となるように起函する。上面および下面が開口する角筒が作られる。
【００２６】
左右の側面パネル11，13の下縁に連設されたフラップ41を内向きに直角に折り，次に背面パネル14の下縁に連設された内側底面パネル32を内向きに直角に折り，最後に正面パネル12の下縁に連設された外側底面パネル31を内向きに直角に折り，外側底面パネル31の内面と内側底面パネル32の外面とを接着する（図３に，外側底面パネル31と内側底面パネル32とを接着する接着部Ｎを太線によって示す）。角筒の底面が閉じられる。接着部Ｎは外側，内側底面パネル31，32の全面には設けられず，外側底面パネル31の先端がわおよび内側底面パネル32の先端がわのそれぞれに接着部Ｎの無い範囲がある。
【００２７】
開口する上面から角筒内に，医薬品，化粧品，菓子等の内容物が入れられ，その後に上面開口も閉じられる。下面を閉じる工程と同様に，左右の側面パネル11，13の上縁のフラップ41を内向きに直角に折り，背面パネル14の上縁の内側天面パネル22を内向きに直角に折る。最後に正面パネル12の上縁の外側天面パネル21を内向きに直角に折り，外側天面パネル21の内面と内側天面パネル22の外面を接着する。角筒の天面が閉じられ，薄型直方体カートン１Ｂが完成する。
【００２８】
正面パネル12に対して外側底面パネル31を内向きに直角に折るとき，切込みＫ１，Ｋ２によって形成される前脚部60は外側底面パネル31と一緒には折られず，これによって前脚部60は下方に突出する（前脚部60が立ち上がる）ことになる。同様にして，左右の側面パネル11，13の下縁に連続するフラップ41を内向きに直角に折るときにも，切込みＫ１，Ｋ２によって形成される前脚部60はフラップ41と一緒に折られず，下方に突出する。前脚部60は，薄型直方体カートン１Ｂの正面がわ下縁の両隅部（両角）に，Ｌ字形に形成される（図４参照）。前脚部60をＬ字形に形成することで，充填機のガイドの圧迫や輸送中の振動などに対する耐久力が強められ，前脚部60を変形しにくく，つぶれにくいものにすることができる。
【００２９】
前脚部60は上述したように逆台形状を有しており斜辺を持つので，特に外側底面パネル31を内向きに折るときに上記斜辺において型紙の擦れ合いが生じやすく，擦れ合いが生じると，外側底面パネル31を内向きに直角に折るときに，それと一緒に前脚部60も内向きに曲がってしまう（前脚部60がきれいに立ち上がらない）ことがある。そこで，上述したように，正面パネル12と外側底面パネル31の境界に形成されたハーフカット線Ｍ（折り線）の両端部に傾斜折り線51が形成され，ハーフカット線Ｍの端部を，傾斜折り線51を介して切込みＫ１，Ｋ２の端部につなげている。これによって外側底面パネル31を内向きに直角に折るときに，それと一緒になって前脚部60が内向きに折られにくくなる。逆台形状の前脚部60を良好に立ち上がらせる（下方に突出させる）ことができる。
【００３０】
また，図４を参照して，ハーフカット線Ｍの左右端部に傾斜折り線51を形成しておくと，正面パネル12に対して外側底面パネル31を内向きに直角に折ったときに傾斜折り線51に近い範囲の外側底面パネル31が内向きに軽く湾曲する（軽く湾曲する箇所を，図４において符号31Ａで示す）。これによって外側底面パネル31の外方への反りを軽減することもできる。
【００３１】
図２，図３および図４を参照して，上述のように，薄型直方体カートン１Ｂの正面がわ下縁の両隅部のそれぞれでは，逆台形状の前脚部60がＬ字形に折られた状態で下方に突出する。逆台形状の前脚部60は強度が比較的高く，薄型直方体カートン１Ｂの正面がわは前脚部60によってしっかりと支えられる。
【００３２】
型紙を折ることで立体的につくられるカートンは紙が持つ弾性（反発力）によって，折られる前の状態に戻ろうとする力がパネルに働く。図３を参照して，正面パネル12の下縁に連設された外側底面パネル31は，カートンにされた後，外向き（下向き）に力が働く。背面パネル14の下縁に連設された内側底面パネル32にも外向き（下向き）の力が働くが，内側底面パネル32は外側底面パネル31の内側に位置するので接地面に直接に接地はしない。また外側底面パネル31の先端がわ範囲に接着部Ｎが設けられていないので，内側底面パネル32に働く外向き（下向き）の力を外側底面パネル31に伝えないようにする，または伝わりにくくすることができる。考慮すべきは外側底面パネル31の，特に接着部Ｎより正面がわの，外方への反りである。
【００３３】
外側底面パネル31が折られる前の状態に戻ろうとする力は，外側底面パネル31を外方に反らせる力となる。この力は外側底面パネル31と正面パネル12の境界に働くので，外側底面パネル31の外方への反りは外側底面パネル31と正面パネル12の境界から離れるにつれて穏やかになり，外側底面パネル31の先端がわにおいてほとんど反りは生じない。薄型直方体カートン１Ｂの背面がわは，ほとんど反りのない外側底面パネル31の先端がわ面部（外側底面パネル31の先端から所定幅を持つ面部全体）によってしっかりと支えられる。もっとも外側底面パネル31の全体に外方への反りがほとんどなければ，薄型直方体カートン１Ｂの背面がわは外側底面パネル31の先端縁部によって支えられる。
【００３４】
薄型直方体カートン１Ｂの正面がわには上述した前脚部60が下方に突出して形成されるので，図３に示すように，外側底面パネル31と正面パネル12の境界に近い範囲において外側底面パネル31と接地面との間には隙間が形成される。外側底面パネル31と正面パネル12の境界に近い範囲において外側底面パネル31が下向きに反り出しても，反り出した外側底面パネル31は接地せず，薄型直方体カートン１Ｂの正面がわは前脚部60によってしっかりと支えられ続ける。また，上述したように，薄型直方体カートン１Ｂの背面がわは反りがほとんど生じない外側底面パネル31の先端がわ面部によって広く支えられる。外側底面パネル31が下向きに反り出しても薄型直方体カートン１Ｂはバランスを崩しにくく，安定して自立させ続けることができる。
【００３５】
図５は変形例の薄型直方体カートンの型紙２Ａを示している。図６は型紙２Ａから作られる薄型直方体カートン２Ｂの，図３に相当する拡大断面図を示している。上述した図１〜図４に示す薄型直方体カートン１Ａ，１Ｂとは，正面パネル12と外側底面パネル31の境界の左右端部に形成される切込みＫ３，Ｋ４によってつくられる前脚部60Ａの形状が方形に近い形状である点，切込みＫ３，Ｋ４は左右の側面パネル11，13に形成されていず，したがって前脚部60Ａは，正面パネル12の下縁の左右端部から下方にのびる点（左右の側面パネル11，13から下方にのびる部分を持たない点）が異なる。また，前脚部60Ａの形状が方形に近く，斜辺を持たないので，上述した薄型直方体カートン１Ａ，１Ｂの正面パネル12と外側底面パネル31の境界に形成される傾斜折り線51は，薄型直方体カートン２Ａ，２Ｂに形成されていない点も異なる。
【００３６】
図６を参照して，薄型直方体カートン２Ｂにおいても，正面パネル12に近い範囲において外側底面パネル31と接地面との間に隙間が形成されるので，正面パネル12と外側底面パネル31の境界に近い範囲で外側底面パネル31が下向きに反り出しても，反り出し範囲は接地しない。薄型直方体カートン２Ｂの正面がわは前脚部60Ａによってしっかりと支えることができる。また，上述した薄型直方体カートン１Ｂと同様に，薄型直方体カートン２Ｂの背面がわは反りがほとんど生じない外側底面パネル31の先端がわ面部によってしっかりと支えられる。外側底面パネル31が下向きに反り出しても，薄型直方体カートン２Ｂはバランスを崩しにくく，安定して自立させ続けることができる。また，左右の側面パネル11，13およびその下縁につながるフラップ41に切込みが無いので，正面パネル12と外側底面パネル31の境界の左右端部に形成される切込みＫ３，Ｋ４によって前脚部60Ａがつくられることで形成される底面の小さい穴の全体を，フラップ41によって塞ぐこともできる。
【００３７】
図７は他の変形例の薄型直方体カートンの型紙３Ａを示している。図８は型紙３Ａから作られる薄型直方体カートン３Ｂの図３に相当する拡大断面図を示している。
【００３８】
上述した図５〜図６に示す薄型直方体カートン２Ａ，２Ｂとは，左右の側面パネル11，13とその下縁に連設されたフラップ41の境界の折り目Ｌ１が，背面がわから正面がわに向かうにしたがって斜め上方に傾斜している点が異なる。
【００３９】
図８を参照して，薄型直方体カートン３Ｂでは，外側底面パネル31の反り出し方向がより正面方向になるので，反り出した外側底面パネル31が接地しにくい。薄型直方体カートン３Ｂも，正面がわは前脚部60Ａによって，背面がわは外側底面パネル31の先端がわ面部によって，それぞれしっかりと支えることができる。
【符号の説明】
【００４０】
１Ａ，２Ａ，３Ａ  型紙
１Ｂ，２Ｂ，３Ｂ  薄型直方体カートン
11  右側面パネル
12  正面パネル
13  左側面パネル
14  背面パネル
31  外側底面パネル
32  内側底面パネル
41  フラップ
51  傾斜折り線
60，60Ａ  前脚部
Ｋ１，Ｋ２，Ｋ３，Ｋ４  切込み
Ｌ１  傾斜下縁
【図１】
2019099167.tif 000003
【図２】
2019099167.tif 000004
【図３】
2019099167.tif 000005
【図４】
2019099167.tif 000006
【図５】
2019099167.tif 000007
【図６】
2019099167.tif 000008
【図７】
2019099167.tif 000009
【図８】
2019099167.tif 000010